(57)【要約】      （修正有）【課題】凝集剤が被処理水と充分に反応し、汚濁物質を完全にフロック化して沈降させ、また、処理中における被処理水の濁度変動を確認しつつそれに対応でき、しかも処理時間、処理能力の高い汚濁水浄化装置を提供する。【解決手段】上流側に位置する少なくとも２つの撹拌槽と、その撹拌槽の下流に位置する少なくとも２つの反応・沈澱槽とを備える。撹拌槽のうち最上流に位置する撹拌槽には、凝集剤投入手段および撹拌手段、並びに被処理水の給水手段が連結され、その下流の撹拌槽には撹拌手段が設けられ、順次上流側より下流側に位置する前記各槽は、順次越流口で連結され、最下流に位置する反応・沈澱槽には排水口が設けられ、越流口は、下流側が直前に位置する上流側の越流口より順次少し低い位置に設けられ、排水口は、直前に位置する上流側の越流口より少し低い位置に設けられ、かつ、いずれかまたは全部の前記各槽には、監視窓が設けられている。【選択図】なし【特許請求の範囲】
【請求項１】
上流側に位置する少なくとも２つの撹拌槽と、その撹拌槽の下流に位置する少なくとも２つの反応・沈澱槽とを備え、これらの撹拌槽および反応・沈澱槽は、上流側から下流側に直列して配置され、
撹拌槽のうち最上流に位置する撹拌槽には、凝集剤投入手段および撹拌手段が設けられると共に被処理水の給水手段が連結され、その下流の撹拌槽には撹拌手段が設けられ、
順次上流側より下流側に位置する前記各槽は、順次オーバーフロー式の越流口で連結され、最下流に位置する反応・沈澱槽には排水口が設けられ、
越流口は、下流側が直前に位置する上流側の越流口より順次低い位置に設けられ、排水口は、直前に位置する上流側の越流口より低い位置に設けられ、
かつ、いずれかまたは全部の前記撹拌槽および反応・沈澱槽には、監視窓が設けられていることを特徴とする汚濁水浄化装置。
【請求項２】
前記凝集剤投入手段は、凝集剤断続投入機構を備えることを特徴とする請求項１記載の汚濁水浄化装置。
【請求項３】
前記各槽は、越流口を介しサクションホースで連結されていることを特徴とする請求項１記載の汚濁水浄化装置。
【請求項４】
少なくとも前記最上流の撹拌槽には、水質濁度の検出手段が設けられていることを特徴とする請求項１記載の汚濁水浄化装置。
【請求項５】
前記凝集剤投入手段は、凝集剤投入量自動調節手段を備え、最上流の撹拌槽には水質濁度の検出手段が設けられ、該凝集剤投入量自動調節手段は、該水質濁度の検出手段の検出値に基づいて凝集剤投入量を自動調節することを特徴とする請求項１または２記載の汚濁水浄化装置。
【請求項６】
前記最下流の反応・沈澱槽の排水口に連続して濾過槽が連結されていることを特徴とする請求項１記載の汚濁水浄化装置。
【請求項７】
前記濾過槽は、複数のフィルター部材が所定間隔に並列して着脱自在に設けられていることを特徴とする請求項６記載の汚濁水浄化装置。
【発明の詳細な説明】
【技術分野】
【０００１】
この発明は、河川・湖沼および工場廃水などの汚濁水（以下、被処理水という）を、浄化処理する汚濁水浄化装置に関し、特に、上流側の槽で凝集剤を投入した被処理水を下流側の槽に順次越流させる間に凝集反応を起こさせ浄化処理する汚濁水浄化装置に関する。
【背景技術】
【０００２】
従来、汚濁水の浄化装置として、被処理水に凝集剤を投入して撹拌し、水中の汚濁物質を凝集剤に反応・吸着させてフロック化し、これを沈澱させて固液分離を行う装置が提供されている（例えば、特許文献１および２参照）。
これらの装置は、撹拌装置を備える撹拌槽と、被処理水を撹拌槽に取り込む取り込み手段と、撹拌槽の被処理水に凝集剤を投入する凝集剤投入装置と、撹拌槽で撹拌した被処理水を取り込み、凝集剤の働きにより浄水とフロックを生成する反応凝集槽とを具備し、浄水とフロックとを分離して取り出すものである。
【０００３】
例えば、特許文献１の汚濁水の浄化装置は、容積の小さい攪拌槽と容積の大きい反応凝集槽とを別々に設け、容積の小さい攪拌槽内で水質浄化物質を被処理水に添加して攪拌することによりこの水質浄化物質を被処理水全体に均一に分散させたあと、この被処理水を越流口よりオーバーフロー式に反応凝集槽内に送り込み、容積の大きいこの反応凝集槽内で汚濁物質と水質浄化物質とを緩やかな流れの中で静かに反応させることによって汚濁物質の凝集、沈下を促進させるようにしたものである。
【特許文献１】特開２００４−１８８２９５号公報
【特許文献２】特開２００３−３８９４６号公報
【発明の開示】
【発明が解決しようとする課題】
【０００４】
従来の汚濁水浄化装置も、被処理水が浄化される好ましいものであるが、次のような改善すべき課題がある。
（１）撹拌槽および反応凝集槽が１つであるので、被処理水の供給量を多くしたり、各槽における被処理水の流速を速くすると、反応凝集槽で所定の純度に浄化されずに排水されてしまう。従って、被処理水の供給もそれに見合う量としなければならないし、各槽における被処理水の流速にも限界が生じ、浄化処理に時間を要するし、処理能力も低いものとなる。
（２）従来のブライオゾーア（貝化石）凝集剤は、比重（約１．６）が大きく、水に沈む性質があるために、従来の汚濁水浄化装置では、凝集剤が被処理水に接液して反応し充分に汚濁物を吸着してフロック化しないうちに沈降してしまう課題があった。
（３）従来の汚濁水浄化装置は、処理中における被処理水の濁度に変動が生じても、凝集剤の投入量、被処理水の供給量、流速等の条件は、変わらない。そのために被処理水の濁度が増加する変動が起きたにもかかわらず、凝集剤の投入量、被処理水の供給量、流速等の条件が変わらないため、浄化が不充分のうちに排出される課題があった。
【０００５】
この発明は、このような課題を解決せんと提案されたものであり、その目的は、凝集剤が被処理水と充分に反応し、汚濁物質を完全に吸着してフロック化して沈降させ、また、処理中における被処理水の濁度に変動が生じても、それを確認して対応でき、しかも処理時間、処理能力の高い汚濁水浄化装置の提供にある。
【課題を解決するための手段】
【０００６】
前記課題を解決するために、この発明の汚濁水浄化装置は、上流側に位置する少なくとも２つの撹拌槽と、その撹拌槽の下流に位置する少なくとも２つの反応・沈澱槽とを備え、これらの撹拌槽および反応・沈澱槽は、上流側から下流側に直列して配置され、
撹拌槽のうち最上流に位置する撹拌槽には、凝集剤投入手段および撹拌手段が設けられると共に被処理水の給水手段が連結され、その下流の撹拌槽には撹拌手段が設けられ、
順次上流側より下流側に位置する前記各槽は、順次オーバーフロー式の越流口で連結され、最下流に位置する反応・沈澱槽には排水口が設けられ、
越流口は、下流側が直前に位置する上流側の越流口より順次少し低い位置に設けられ、排水口は、直前に位置する上流側の越流口より少し低い位置に設けられ、
かつ、いずれかまたは全部の前記撹拌槽および反応・沈澱槽には、監視窓が設けられていることを特徴とする。
【０００７】
これにより最上流の撹拌槽には、給水手段で被処理水が給水され、この給水された被処理水には凝集剤投入手段で凝集剤が投入され、この凝集剤が投入された被処理水は撹拌手段で撹拌される。
この撹拌槽で撹拌された被処理水は、汚濁物質の大半を凝集させフロック化して沈降させる。この被処理水は、越流口よりその下流の撹拌槽に流入する。この撹拌槽に流入した被処理水は撹拌手段で再び撹拌され、凝集不充分の残留汚濁物質の２次凝集を行う。
この２次凝集を行い残留汚濁物質のフロックを沈降させた被処理水は、越流口よりその下流の反応・沈澱槽に流入する。この反応・沈澱槽に流入した被処理水は、撹拌のない穏やかで静かな流れのなかで更にフロック化した残留汚濁物質を沈降させ、その上層水（上澄み水）は越流口よりその下流の反応・沈澱槽に流入する。
この反応・沈澱槽に流入した被処理水は、また更にここでフロック化した汚濁物質の沈降が行われ、その上層水（上澄み水）は排出口から排出される。
この時、いずれか又は全部の槽には、監視窓が設けられているので、被処理水の汚濁の程度、フロック形成の良否、フロックの大きさ、濁度、水位、流水の速度、沈澱物の量、等が観察できるし、これにより凝集剤投入量の調整もできる。
【０００８】
また、この発明の汚濁水浄化装置の前記凝集剤投入手段は、凝集剤断続投入機構を備えることを特徴とする。
これにより前記作用、効果の他に凝集剤の所定量を断続的（間欠的）に投入することができ、被処理水が連続して流入しても処理可能となり、被処理水を連続して給水して連続稼働ができる。
【０００９】
また、この発明の汚濁水浄化装置の前記各槽は、越流口を介しサクションホースで連結されていることを特徴とする。
これにより、前記作用、効果の他に、各槽の被処理水の全流路の流速を一定にすることができる。
【００１０】
また、この発明の汚濁水浄化装置の少なくとも最上流の撹拌槽には、水質濁度の検出手段が設けられていることを特徴とする。
これにより被処理水の水質濁度を知ることができ、それにより凝集剤の投入量や被処理水の給水量、流速等を最善に調整することができる。
【００１１】
更に、この発明の汚濁水浄化装置の前記凝集剤投入手段は、凝集剤投入量自動調節手段を備え、最上流の撹拌槽には水質濁度の検出手段が設けられ、該凝集剤投入量自動調節手段は、該水質濁度の検出手段の検出値に基づいて凝集剤投入量が自動調節されることを特徴とする。
これにより前記作用・効果の他に水質濁度の程度に対応して凝集剤の投入量が自動的に調節されるので、常に最適の凝集剤投入量で被処理水の浄化処理ができる。
【００１２】
また、この発明の汚濁水浄化装置は、前記最下流の反応・沈澱槽の排水口に連続して濾過槽が連結されていることを特徴とする。
これにより更に被処理水の浄化能力を高めることができる。
また、前記濾過槽は、複数のフィルター部材が所定間隔に並列して着脱自在に設けられていることを特徴とする。
これにより複数のフィルター部材は、着脱自在であるので、増減することが可能となる。従って、フィルター部材を増減する調整によって濾過程度を調整することができる。
【発明の効果】
【００１３】
この発明の汚濁水浄化装置によれば、次のような効果を奏する。
（１）この発明の汚濁水浄化装置は、少なくとも２つの撹拌槽と、少なくとも２つの反応・沈澱槽を備えるので、最上流の撹拌槽で被処理水の第１次の撹拌を行い、汚濁物質の大半を凝集させてフロック化して沈降させ、その上層水（上澄み水）を越流口よりその下流に続く撹拌槽に流入させ、その撹拌槽で被処理水の第２次撹拌を行い、残留汚濁物質をフロック化して沈降させ、その上層水（上澄み水）を越流口よりその下流の反応・沈澱槽に流入させ、その反応・沈澱槽で撹拌のない穏やかで静かな流れのなかで、更にフロック化した残留汚濁物質を反応・沈澱させ、その上層水（上澄み水）を越流口よりその下流に続く反応・沈澱槽に流入させ、その反応・沈澱槽でまた更に反応フロック化した残留汚濁物質を反応・沈澱させ、その上層水（上澄み水）を越流口となっている排水口より排水するので、被処理水の汚濁物質は、完全にフロック化すると共に沈降して、きわめて純度の高い浄化水となる。
【００１４】
（２）また、前記のように少なくとも２つの撹拌槽と、少なくとの２つの反応・沈澱槽を備え、被処理水は順次上流側より下流側に処理するので、被処理水の供給量は従来より増大できるし、流速も従来より速くできるので、処理能力及び処理効率が増大する。
（３）比重が大きく水に沈む性質のある貝化石凝集剤を使用しても、少なくとも２つの撹拌槽において撹拌手段で撹拌するので、被処理水と充分に反応し、汚濁物質をフロック化する。
【００１５】
（４）監視窓が設けられているので、被処理水の汚濁の程度、フロック形成の良否、フロックの大きさ、濁度、水位、流水の速度、沈殿物の量、等が観察できるし、これにより凝集剤投入量の調節もできる。
（５）汚濁水浄化装置の凝集剤投入手段は、凝集剤断続投入機構を備えるので、凝集剤の所定量を断続的（間欠的）に投入することができ、被処理水が連続して流入（供給）されても処理可能となり連続稼働ができる。
【００１６】
（６）汚濁水浄化装置の各槽は、越流口を介してサクションホースで連結されているので、被処理水の全流路の流速を一定にすることができる。
（７）汚濁水浄化装置の少なくとも最上流の撹拌槽には、水質濁度の検出手段が設けられているので、被処理水の水質濁度を知ることができ、それにより凝集剤の投入量や被処理水の給水量、流速等を最善に調整できる。
【００１７】
（８）汚濁水浄化装置の凝集剤投入手段は、凝集剤投入量自動調節手段を備え、最上流の撹拌槽には水質濁度の検出手段が設けられ、前記凝集剤投入量自動調節手段は、該水質濁度の検出手段の検出値に基づいて凝集剤投入量が自動調整されるので、水質濁度の程度に対応して凝集剤の投入量が自動的に調節され、常に最適の凝集剤投入量で被処理水の浄化処理ができる。
【００１８】
（９）汚濁水浄化装置は、監視窓または水質濁度の検出手段あるいは水質濁度の検出手段の検出値に基づいて凝集剤投入量が調節される凝集剤投入量自動調節手段を備えるので、被処理水の汚濁の程度が変動しても、それに伴う凝集剤の投入量や被処理水の供給量、等の条件を変更せずにそのままで浄化処理を行い、不充分な浄化水で排出（放出）してしまうことが防止できる。
（１０）最下流の反応・沈澱槽に連続して濾過槽が設けられているので被処理水は更に高い純度に浄化された浄化水として排出することができる。
（１１）濾過槽は、複数のフィルター部材が着脱自在に設けられているので、フィルター部材を増減する調節が可能となり、それにより濾過程度を調整することができる。
【発明を実施するための最良の形態】
【００１９】
以下、この発明の汚濁水浄化装置の実施の形態を、図面について詳細に説明する。
図１は、この発明の実施の形態を示す汚濁水浄化装置の一部破断の正面図である。
この汚濁水浄化装置は、最上流に位置する第１撹拌槽１と、第１撹拌槽１の下流に位置する第２撹拌槽２と、その第２撹拌槽２の下流に位置する第１反応・沈澱槽３と、その第１反応・沈澱槽３の下流に位置する第２反応・沈澱槽４とを備える。
【００２０】
第１撹拌槽１と第２撹拌槽２、第２撹拌槽２と第１反応・沈澱槽３、第１反応・沈澱槽３と第２反応・沈澱槽４とは、オーバーフロー式の越流口５、６、７で連結され、第２反応・沈澱槽４にはオーバーフロー式の排水口８が設けられている。
第２撹拌槽２と第１反応・沈澱槽３とを連結する越流口６は、第１撹拌槽１と第２撹拌槽２とを連結する越流口５の位置より少し低い位置に設けられ、第１反応・沈澱槽３と第２反応・沈澱槽４とを連結する越流口７は、第２撹拌槽２と第１反応・沈澱槽３とを連結する越流口６の位置より少し低い位置に設けられ、排水口８は第１反応・沈澱槽３と第２反応・沈澱槽４とを連結する越流口７の位置より少し低い位置に設けられている。即ち、上流側より下流側に位置する各槽１、２、３、４を連結する越流口５、６、７および排水口８の位置は、順次少し低い位置となっている。
なお、前記各槽１、２、３および４は、図２に示すように越流口５、６、７を介しサクションホース２４で連結すると、被処理水の流路の流速が一定にできるので好ましい。
【００２１】
また、第１および第２撹拌槽１、２の越流口５、６は、図３に示すように隔壁３５にて槽１、２内部に下方が開口３７する流路３６を形成して槽１、２内と連通するようにしてもよい。これにより撹拌手段１２による撹拌の被処理水の乱流の越流口５、６への影響を抑えることができ、越流口５、６からできる限り被処理水の上澄み水のみを流出するようにできる。
また、この流路３６の開口３７には、図３に示すようにフィルター３８を設けてもよい。これにより被処理水が濾過されるため浄化効果は向上する。
なお、この流路３６の形成は、他の第１および第２反応・沈澱槽３、４の越流口７、排水口８に採用してもよい。
【００２２】
第１撹拌槽１には、被処理水の給水手段９が連結され、外部より被処理水が供給される。この給水手段９は、給水ポンプ１０からのパイプ１１が第１撹拌槽１に連結されて構成されており、河川、湖沼、工場廃水および工事現場から排水される泥水等の被処理水源から給水ポンプ１０により第１撹拌槽１に給水する。この被処理水の給水ライン、例えば、パイプ１１には、流量計２３を設けるのが好ましい。これにより被処理水の供給量が検知でき、被処理水の供給量（例えば、単位時間当りの供給量）や凝集剤投入量などの管理が容易に可能となるからである。
【００２３】
また、第１撹拌槽１は、撹拌手段１２および凝集剤投入手段１６を具備する。撹拌手段１２は、第１撹拌槽１の天板１ａ上に設けられたモータ１３と、該モータ１３で回転される回転軸１４と、該回転軸１４に突設した撹拌翼１５とで構成されている。回転軸１４は第１撹拌槽１内に垂下して延出しており、これに撹拌翼１５が突出されているので、モータ１３により回転軸１４を介して撹拌翼１５を回転することによって撹拌する。
【００２４】
凝集剤投入手段１６は、第１撹拌槽１の天板１ａ上にホッパー１７を備え、このホッパー１７より凝集剤を断続的（間欠的）に投入できるようになっている。例えば、図示は省略したが、ホッパー１７の下端出口に、閉塞板を開閉可能に設け、この閉塞板をソレノイドで断続的に開閉し、シュートを介し第１撹拌槽１内に投入する、等の従来公知の手段を採用し得る。この時、ホッパー１７の下端に定量室を設け、ホッパー１７より凝集剤を定量室に一旦送給し、この定量室の出口を開閉して投入するようにすると、凝集剤は断続的に所定量が投入できる。
【００２５】
また、凝集剤投入手段１６は、凝集剤投入量自動調節手段（図示省略）を備え、一方、第１撹拌槽１には、水質濁度の検出手段（図示省略）を設け、凝集剤投入量自動調節手段は、該水質濁度の検出手段の検出値に基づいて、凝集剤の投入量を自動調節するようにしてもよい。
なお、凝集剤投入手段１６は、凝集剤投入量自動調節手段を具備せずに、第１撹拌槽１に水質濁度の検出手段の検出値を表示できるようにし、この表示に基づいて手動で凝集剤投入量を調整するようにしてもよい。
前記凝集剤投入量自動調節手段としては、前記ソレノイドでの閉塞板を開閉する間隔を変えたり、定量室への供給量を変えたりする手段を例示できる。
また、前記水質濁度の検出手段としては、（ａ）測定セルの上部で被処理水（被測定液）をオーバーフローして形成した液面に光を照射したときの散乱光に基づき濁度を計測する濁度計、（ｂ）所定の容量の被処理水を満たした、前記被処理水を注入する注入口と排水する排出口とを有する筒状の測定セルに、前記測定セルの第１端面から光源からの側定光を照射し、第２端面の光検出器が検出した前記測定光の透過率によって被処理水の濁度を測定する濁度計、などを例示することができる。
【００２６】
また、第２撹拌槽２には、前記と同様な撹拌手段１２が設けられている。この撹拌手段１２は、第２撹拌槽２の天板２ａ上に設けられたモータ１３と、このモータ１３で回転される回転軸１４と、この回転軸１４に突設された撹拌翼１５とで構成されている。回転軸１４は天板２ａを貫通し第２撹拌槽２内に垂下して延出しており、これに撹拌翼１５が突設されているので、モータ１３により回転軸１４を介し撹拌翼１５を回転して撹拌する。
【００２７】
さらに、第１撹拌槽１、第２撹拌槽２および第１反応・沈澱槽３の側壁には、監視窓１８が設けられている。この監視窓１８は、被処理水の汚濁の程度、フロック形成の良否、フロックの大きさ、濁度、水位、流水の速度およびフロック等の沈殿物の量、等を観察するものであり、それに対応して最適の条件に合せて浄化処理を行うことができる。例えば、凝集剤投入量も見合う最適の量に調整することができる。
この監視窓１８は、内部が透視できる構成であればよく、例えば、槽壁に穿設した窓孔を透明なガラス板や樹脂板で閉塞した構成を例示できる。窓孔の形状も自由である。本例では縦方向に長い長孔の場合を示している。
【００２８】
また、各槽１、２、３および４の底部には、底部に沈澱したフロック等の堆積物を排出するバルブ付きの排出口１９が設けられている。これにより各槽１、２、３および４の底部に沈澱したフロック等の汚濁物質の不要物を排出することが可能となる。なお、各槽１、２、３、４の底面は、この排出口１９に向かってテーパ状に形成されているのが、フロック等の堆積物が容易に排出されやすいので好ましい。
【００２９】
図４は、この実施の形態の変形例を示す要部の部分断面正面図である。本例は、第１撹拌槽１のパイプ１１よりの被処理水の流入口２１に位置して、天板１ａより垂下する隔壁２０にて撹拌槽１内部に下方が開口２２ａする中空部２２を形成し、被処理水の槽１内の流入位置を下方側に変更してもよい。
なお、本例は第１撹拌槽１の被処理水の流入口２１の部分であるが、この構成は、越流口５、６、７の流入部分に採用してもよい。
このような構成とすることによって、流入する被処理水の流速の影響を減少し、浄化処理効果を向上することができる。
【００３０】
しかして、この実施の形態の汚濁水浄化装置によれば、次のように作用する。
まず、第１撹拌槽１には、給水手段９（給水ポンプ１０の駆動）で被処理水が供給される。この給水された第１撹拌槽１内の被処理水が所定量になったら、この被処理水には、凝集剤投入手段１６で凝集剤が投入される。この凝集剤が投入されたら、その被処理水を撹拌手段１２で撹拌する。即ち、モータ１３で回転軸１４を介し撹拌翼１５を回転させて撹拌する。この撹拌は、撹拌翼１５の正回転だけでなく、逆回転を加えてもよい。これはモータ１３の正逆の回転で実施することができる。
この第１撹拌槽１の撹拌で、凝集剤が全体の被処理水と平均的に接液して反応し、被処理水の汚濁物質の大半を凝集させてフロック化し沈降させる。
【００３１】
この汚濁物質の大半を凝集させフロックを沈降させた被処理水は、越流口５よりその下流の第２撹拌槽２に流出する。この流出する被処理水は、越流口５より流出するので、汚濁物質の大半を凝集させてフロックを沈降させた上澄み水となる。
この第２撹拌槽２に流入した被処理水は、撹拌手段１２で再び撹拌され、前段の第１撹拌槽１での残留汚濁物質や凝集不充分の残留汚濁物質の２次凝集がなされる。これにより残留汚濁物質がさらにフロック化して沈降し、汚濁物質はほぼ完全に沈降して除去（固液分離）される。
【００３２】
この２次凝集を行い残留汚濁物質のフロックを沈降させた被処理水は、越流口６よりその下流の第２反応・沈澱槽４に流出する。この流出する被処理水も上澄み水である。
この第１反応・沈澱槽３に流入した被処理水は、撹拌のない穏やかで静かな流れのなかで更にフロック化した残留汚濁物質も沈澱させる。ここでは主に浮遊状態で沈降が遅く前槽２でも沈降しなかった残留汚濁物質を沈澱させる。この第１反応・沈澱槽３の被処理水は、穏やかで静かな流れであるので、浮遊状態で沈降の遅いフロック化した汚濁物質も、ゆっくりと沈降しついには沈澱する。そして、この被処理水は、上澄み水（上層側）から越流口７を介しその下流の第２反応・沈澱槽４に流出する．
【００３３】
この第１反応・沈澱槽３の浄化処理において被処理水は、完全に汚濁物質が分離されて浄化されている。しかし、更に、念を押すために、第２反応・沈澱槽４を設け、ここに前槽３より流入した被処理水を、また更にここでフロック化した汚濁物質の浄化処理をする。第２反応・沈澱槽４では、ほとんど無いに等しいフロック化した残留汚濁物質の沈澱を、穏やかで静かな流れのなかで念を押して実施する。
ここで浄化処理の完了した被処理水は、上澄み水（上層側）からオーバーフロー式に排水口８より排出される。
【００３４】
以上の被処理水の浄化処理は、連続して供給される被処理水に凝集剤投入手段１６により断続的（間欠的）に凝集剤を投入して実施できるので、被処理水を連続して供給しての連続稼働で実施できる。
【００３５】
この処理に際しては、第１撹拌槽１、第２撹拌槽２および第１反応・沈澱槽３に監視窓１８が設けられているので、被処理水の汚濁の程度、フロック形成の良否、フロックの大きさ、濁度、水位、流水の速度、沈殿物の量、等を観察して実施できる。この観察の結果によって、凝集剤投入量等の条件の変更の必要が生じた場合には、それに見合う対応をとる。
また、第１撹拌槽１に水質濁度の検出手段とその表示部が設けられている場合には、その被処理水の水質濁度の程度により、凝集剤の投入量や被処理水の給水量、流速等を最善に調整する。
【００３６】
さらに、凝集剤投入手段１６が凝集剤投入量自動調節手段を備え、一方、第１撹拌槽１に水質濁度の検出手段が設けられ、凝集剤投入量自動調節手段は、該水質濁度の検出手段の検出値に基づいて凝集剤投入量を自動調節する場合には、凝集剤の投入量が自動的に調節されて、常に最適の凝集剤投入量で浄化処理が実施される。
【００３７】
また、この発明の汚濁水浄化装置は、最下流の第２反応・沈澱槽４の下流側に、濾過槽を設け、第２反応・沈澱槽４からの被処理水を、更に濾過して排出するようにしてもよい。図５は、濾過槽２５を示す斜視図、図６は、図５のＡ部の部分拡大斜視図である。
【００３８】
本例の濾過槽２５は、上方が開口する直方体に形成され、上流側には第２反応・沈澱槽４の排出口８と連結するサクションホース２６が位置し、下流側の槽壁２５ａには排水口２７が設けられている。濾過槽２５内には、被処理水の流路に複数のフィルター部材２８ａ、２８ｂ、２８ｃが所定間隔に並列して着脱自在に設けられている。従って、第２反応・沈澱槽４からの被処理水は、サクションホース２５を介し濾過槽２５内に流入し、各フィルター２８ａ、２８ｂ、２８ｃを通過して排水口２７より流出するようになっている。
【００３９】
フィルター部材は、本例では３個２８ａ、２８ｂ、２８ｃの場合を示しているが、これは任意である。フィルター部材２８ａ、２８ｂ、２８ｃを着脱自在としたのは、被処理水の浄化処理程度に応じてフィルター部材の数を増減できるようにするためである。例えば、被処理水の浄化処理程度が高い場合には、フィルター部材は１個でよいし、被処理水の浄化処理程度が中程度では、２個以上となる、というように選択して実施する。もちろん、第２反応・沈澱槽４までの被処理水の浄化処理で充分の場合には、本例の濾過槽２５は不要であり使用する必要はない。
【００４０】
フィルター部材２８ａ、２８ｂ、２８ｃは、本例では濾過槽２５の対面する側壁２５ｂおよび２５ｃの内面に、図６に示すように２枚の板材２９ａ、２９ｂを平行して垂直方向に設け、この板材２９ａ、２９ｂ間にフィルター部材２８ａ、２８ｂ、２８ｃを挿入したり、引き抜くことにより着脱自在となっている。本例では一方の板材２９ａがヒンジ３０にて回動可能に取付けられており、ストッパーピン３１にて固定されているが、ストッパピン３１を引き抜くことにより回動可能となる構成となっている。これにより一方の部材２９ａを回動して開き、フィルター部材２８ａ、２８ｂ、２８ｃの着脱ができるために、フィルター部材２８ａ、２８ｂ、２８ｃの増減する際の作業が容易となる。なお、符号３２は、板材２９ａを回動操作するためのハンドルである。
【００４１】
フィルター部材２８ａ、２８ｂ、２８ｃの構成は、特に制限はなく従来公知のものを採用し得る。本例では、図５に示すように乾燥した糸状の植物繊維を編組したフィルター３３を、メッシュ部材３４で挟持した構成を例示している。また、フィルター部材２８ａ、２８ｂ、２８ｃは、濾過程度の異なるものを組み合わせたり、各フィルター部材毎に濾過程度の異なるものを使用してもよい。
【００４２】
このような濾過槽２５を使用すると、第２反応・沈澱槽４からの被処理水は、サクションホース２６を介し濾過槽２５内に流入し、各フィルター部材２８ａ、２８ｂ、２８ｃを通過して排水口２７より排出される。従って、この排出口２７より排出される被処理水は、浄化処理の高い被処理水となる。即ち、第２反応・沈澱槽４からの被処理水も、前工程の各槽１、２、３、４で浄化処理されたものである。それでも充分であるが、それを更に濾過槽２５で濾過するものであるから、この濾過槽２５で濾過され排出される被処理水は、相当に高く浄化処理されたものとなる。
【００４３】
以上の通り、この発明の汚濁水浄化装置によれば、被処理水の汚濁物質を完全に分離し、除去することが可能となり、浄化処理した被処理水は、透明度の高い完全な浄水となる。
また、この発明で使用する凝集剤としては従来公知のものを採用可能であるが、ブライオゾーア（貝化石）粉体を主成分とする凝集剤を好ましい例として挙げることができる。
【００４４】
なお、前記実施の形態は、この発明を制限するものではなく、この発明は要旨を逸脱しない範囲において種々の変形が許容される。
【図面の簡単な説明】
【００４５】
【図１】この発明の実施の形態を示す汚濁水浄化装置の一部破断の正面図である。
【図２】この発明の実施の形態を示す汚濁水浄化装置の部分正面図である。
【図３】この発明の実施の形態の変形例を説明する概略部分断面図である。
【図４】この実施の形態の他の変形例を示す要部の部分断面正面図である。
【図５】濾過槽を示す斜視図である。
【図６】図５のＡ部拡大斜視図である。
【符号の説明】
【００４６】
１  第１撹拌槽
２  第２撹拌槽
３  第１反応・沈澱槽
４  第２反応・沈澱槽
５、６、７  越流口
８  排水口
９  給水手段
１０  給水ポンプ
１２  撹拌手段
１３  モータ
１４  回転軸
１５  撹拌翼
１６  凝集剤投入手段
１７  ホッパー
１８  監視窓
１９  排出口
２５  濾過槽
２７  排水口
２８ａ、２８ｂ、２８ｃ  フィルター部材
２９ａ、２９ｂ  板材
３０  ヒンジ
【図１】
2007319763.tif 000002
【図２】
2007319763.tif 000003
【図３】
2007319763.tif 000004
【図４】
2007319763.tif 000005
【図５】
2007319763.tif 000006
【図６】
2007319763.tif 000007